(57)【要約】【課題】巻き初めの端部が段差としてフィルム等の長尺物に転写することを防止するとともに、繰り返し使用を可能とした巻芯を提供する。【解決手段】円筒体からなる巻芯１の表面に長さ方向に凹部５を設け、該凹部５内に粘着性を有する軟質樹脂６を面一に埋設したことを特徴とする巻芯。【選択図】図１
2005075521.tif 000002
【特許請求の範囲】
【請求項１】
円筒体からなる巻芯の表面に長さ方向に凹部を設け、該凹部内に粘着性を有する軟質樹脂を面一に埋設したことを特徴とする巻芯。
【請求項２】
粘着性を有する軟質樹脂がウレタン樹脂からなる請求項１記載の巻芯。
【請求項３】
粘着性が２５mm巾、１８０度剥離で４００〜６００ｇの範囲である請求項１又は２記載の巻芯。
【請求項４】
凹部が台形状の断面を有する１〜３のいずれか１項に記載の巻芯。
【請求項５】
光学フィルム用である請求項１〜４のいずれか１項に記載の巻芯。
【請求項６】
請求項１〜５のいずれか１項に記載の巻芯の粘着性を有する軟質樹脂面に長尺物の巻き初め端部が接着固定され、前記長尺物巻回時の張力により前記巻き初め端部が前記軟質樹脂の弾性変形により前記巻芯の凹部内に押し込まれ実質的に段差のない状態で巻回されていることを特徴とするロール状物。
【発明の詳細な説明】
【技術分野】
【０００１】
本発明はフィルム等の長尺物を巻回してロール状物とするための巻芯及び該巻芯を用いたロール状物に関し、更に詳しくは、巻き初めの端部が段差として長尺物に転写することを防止するとともに、繰り返し使用を可能とした巻芯及び該巻芯を用いたロール状物に関する。
【背景技術】
【０００２】
従来、帯状のフィルム等の長尺物は、図３（ａ）に示すように、紙やプラスチック製の巻芯１に長尺物２を巻回してロール状物とされ取引され、使用に供されている。
この種の技術としては、図３（ｂ）に示すように、巻芯１の表面に長さ方向に接着剤（又は粘着剤）３を１条塗布し、長尺物２の巻き初め端部２ａを該接着剤３により巻芯１の表面に接着固定して長尺物２が巻回され、ロール状物とされている。
【０００３】
また、プラスチックフィルムの始端を巻芯に固定するために、厚みが１０μｍ以下の粘着テープを使用することも提案されている（例えば、特許文献１参照）。
【特許文献１】実開平７−６２５２号公報
【発明の開示】
【発明が解決しようとする課題】
【０００４】
しかしながら、前者の方法による場合は、図３（ｂ）に示すように、接着剤３の厚さに長尺物２の巻き初め端部２ａの厚さが加わり段差が発生するため、２重、３重・・・と巻回する長尺物２に、この段差が屈曲線４として転写されることが避けられない。
【０００５】
この長尺物２に段差が転写されて生じる屈曲線４は、長尺物２を巻回するにつれて徐々に目立たなくなるものの、このような屈曲線４は、通常、数１０メートルに亘って転写されて残留し商品価値を著しく低下させ、例えば、長尺物２が高度な平面性や平滑性を要求される光学フィルムのような場合はも早使用に適さず、廃棄処分されているのが実情であり、極めて生産性が悪く且つ不経済であり、また、資源の有効利用や環境保全の観点からも問題をはらんでいる。
【０００６】
一方、巻芯も接着剤にゴミやホコリが付着して接着固定力が減少するために繰り返し使用が困難で、通常１回の使用で廃棄せざるを得ないのが実情であり、これも極めて不経済であるばかりでなく、資源の有効利用や環境保全の観点からも問題をはらんでいる。
【０００７】
また、長尺物を巻回する直前に巻芯表面に接着剤を塗布するのは作業性が悪く、また接着剤を巻芯の長さに亘って均一な厚さで塗布することは必ずしも容易ではなく、更に、長尺物の固定のやり直しや調整も極めて困難である。
【０００８】
他方、後者の方法による場合は、上記した接着剤を使用する場合における問題はかなり解消されるものの、粘着テープの厚みが長尺物に転写して屈曲線が発生することは避けられない。
【課題を解決するための手段】
【０００９】
本発明はかかる実情に鑑み、上記巻き初め端部の段差の長尺物への転写を完全に防止するとともに、繰り返し使用の可能な巻芯及び該巻芯を用いたロール状物を提供するものである。
【００１０】
即ち、本発明の請求項１は、円筒体からなる巻芯の表面に長さ方向に凹部を設け、該凹部内に粘着性を有する軟質樹脂を面一に埋設したことを特徴とする巻芯を内容とする。
【００１１】
本発明の請求項２は、粘着性を有する軟質樹脂がウレタン樹脂からなる請求項１記載の巻芯を内容とする。
【００１２】
本発明の請求項３は、粘着性が２５mm巾、１８０度剥離で４００〜６００ｇの範囲である請求項１又は２記載の巻芯を内容とする。
【００１３】
本発明の請求項４は、凹部が台形状の断面を有する１〜３のいずれか１項に記載の巻芯を内容とする。
【００１４】
本発明の請求項５は、光学フィルム用である請求項１〜４のいずれか１項に記載の巻芯を内容とする。
【００１５】
本発明の請求項６は、請求項１〜５のいずれか１項に記載の巻芯の粘着性を有する軟質樹脂面に長尺物の巻き初め端部が接着固定され、前記長尺物巻回時の張力により前記巻き初め端部が前記軟質樹脂の弾性変形により前記巻芯の凹部内に押し込まれ実質的に段差のない状態で巻回されていることを特徴とするロール状物を内容とする。
【発明の効果】
【００１６】
本発明の巻芯は、巻芯表面の長さ方向に凹部を設け、該凹部内に粘着性を有する軟質樹脂を面一に埋設したので、長尺物の巻き初め端部の段差は、長尺物を巻回する張力により前記軟質樹脂に押し付けられ、軟質樹脂は略巻き初め端部の厚さだけ弾性変形することにより巻き初め端部の厚さを実質的に吸収し、段差による屈曲線が長尺物に転写するのを防止する。
したがって、長尺物は廃棄することなく最後まで使用でき、生産性が良く且つ経済的であるばかりでなく、資源の有効利用や環境保全が図られる。
また、長尺物の巻き初め端部の固定のやり直しや微調整も自在で、作業性が大巾に改善される。
【００１７】
粘着性を有する軟質樹脂としては、軟質ウレタン樹脂が好ましく、表面に付着したゴミやホコリは水洗により容易に除去でき、また乾燥することにより元の粘着性が復元されるので、巻芯は繰り返し使用可能で、経済的である。
【００１８】
粘着性は、例えば、２５mm巾、１８０度剥離で４００〜６００ｇ程度の範囲が好適である。
【００１９】
また、凹部を台形状として粘着性を有する軟質樹脂を埋設することにより、該形状の抵抗力により、該軟質樹脂に長尺物の巻き初め端部を接着、固定して巻回する際の張力に対して抗する力を増大させることができる。
【００２０】
上記巻芯に巻回する長尺物としては、特に高度の平面性や平滑性が要求され高価である光学フィルムに好適である。
【発明を実施するための最良の形態】
【００２１】
本発明の巻芯は、円筒体からなる巻芯の表面に長さ方向に凹部を設け、該凹部内に粘着性を有する軟質樹脂を面一に埋設したことを特徴とする。
【００２２】
本発明における巻芯は、紙やプラスチック、金属等からなる従来の巻芯であり、プラスチックとしては、ＡＢＳ樹脂、ポリエチレン、ポリプロピレン等のポリオレフィン樹脂、塩化ビニル樹脂、ポリアミド樹脂、ポリエステル樹脂、Ｆ．Ｒ．Ｐ、フェノール樹脂等熱硬化性樹脂、ステンレス等の金属等が挙げられる。
【００２３】
本発明に用いられる粘着性を有する軟質樹脂としては、長尺物の巻き初め端部を巻芯の表面に接着固定し機械的に巻回する際の張力に対して剥離しない程度の粘着性を有し、またゴミやホコリを除去するために水洗、乾燥しても粘着性が低下せず、元の粘着性を回復するような軟質樹脂が好適に用いられる。軟質ウレタン樹脂は、長尺物をゆっくり剥がすことにより、長尺物を傷めることがなく剥がすことができるので、最後まで長尺物を廃棄することなく使用できる利点がある。
【００２４】
軟質樹脂の粘着性は、該軟質樹脂面に長尺物の巻き初め端部を接着固定し、該長尺物巻回時の張力により該巻き初め端部が剥離しない程度のものが必要で、長尺物の種類、該長尺物巻回時の張力等巻回時の条件を勘案して適宜選択すればよいが、例えば、２５mm巾、１８０度剥離で４００〜６００ｇ程度の範囲が挙げられる。
【００２５】
粘着性を有する軟質樹脂は、巻芯の表面に長さ方向に設けた凹部内に埋設される。凹部は長尺物が巻回される際の張力により、該軟質樹脂が脱出しないように、断面が台形状の凹部とすることが好ましい。粘着性を有する軟質樹脂を接着剤を使用して凹部内に接着・埋設してもよい。接着剤は側面に使用すると、巻回時の張力により巻き初め端部の厚みだけ軟質樹脂の弾性変形させるのを妨げるので、底面のみに使用するのがよい。粘着性を有する軟質樹脂は巻芯表面と実質的に面一に設けられる。
【００２６】
上記した巻芯に長尺物が巻回される。即ち、粘着性を有する軟質樹脂面に長尺物の巻き初め端部が接着固定され、前記長尺物巻回時の張力により前記巻き初め端部が前記軟質樹脂の弾性変形により前記巻芯の凹部内に押し込まれ実質的に段差のない状態で巻回されたロール状物が得られる。
【００２７】
上記巻芯に巻回する長尺物としては特に制限されないが、特に高度の平面性や平滑性が要求され高価である光学フィルム（又はシート）や、屈曲線が入ることにより価値が低下する書画や織物等に好適である。
【実施例】
【００２８】
以下、実施例に基づいて本発明を更に詳しく説明するが、本発明はこれら実施例のみに限定されないことは云うまでもない。
【００２９】
実施例１
図１に示すように、内径７．３cm、外径８．７cm、厚み７mm、長さ１１cmの紙製巻芯  １に、断面が縦３mm、横６mmの矩形状凹部５を設け、粘着性を有する軟質樹脂６として軟質ポリウレタンを巻芯１の表面と面一に埋設した。軟質ポリウレタンの底面には接着剤（図示せず）を使用した。
長尺物２として、フィルムの巻き初め端部２ａを上記巻芯１の軟質ポリウレタン６の部分に粘着させ巻回した。巻回したフィルム２には巻き初め端部２ａの段差が転写した屈曲線は全く認められず、また、フィルム２は軟質ポリウレタンに粘着させた巻き初め端部２ａの部分も傷めることなく容易に剥離でき、この巻き初め端部２ａを含めて廃棄することなく全長に亘って使用可能であった。
また、濡れ雑布で軟質ポリウレタン６の表面を拭くと、ゴミやホコリは簡単に除去され、乾燥した表面には元の粘着力が復元され、巻芯１は繰り返し使用可能であった。
【００３０】
実施例２
ＡＢＳ樹脂製の巻芯を用い、断面が上底７mm、下底１１mm、高さ３mmの台形状凹部とし、接着剤を使用しなかった他は実施例１と同様とした。
巻回したフィルム２には巻き初め端部２ａの段差が転写した屈曲線は全く認められず、また、フィルム２は軟質ポリウレタンに粘着させた巻き初め端部２ａの部分も傷めることなく容易に剥離でき、この巻き初め端部２ａを含めて廃棄することなく全長に亘って使用可能であった。
また、巻芯を水中で洗うとゴミやホコリは容易に除去され、その後乾燥すると元の粘着力が復元され、繰り返し使用可能であった。
【産業上の利用可能性】
【００３１】
叙上のとおり、本発明の巻芯は、巻き初め端部の段差が屈曲線としてフィルム等の長尺物に転写されず、従って、従来のように、転写した部分を廃棄するようなことは全く不要で、長尺物は実質的に１００％使用することができるので、極めて生産性が高く且つ経済的あるばかりでなく、資源の有効利用や環境保全が図られる。
【００３２】
また、巻芯の接着性を有する軟質樹脂に付着したゴミやホコリは水洗により容易に除去され、乾燥することにより元の接着性が復元されるので、巻芯は繰り返し使用でき極めて経済的あるばかりでなく、資源の有効利用や環境保全が図られる。
【図面の簡単な説明】
【００３３】
【図１】本発明の実施例を示す要部側面図で、（ａ）は長尺物の巻き初めを示し、（ｂ）は巻回時の張力により巻き初め端部の段差が解消される状態を示す。
【図２】本発明の他の実施例を示す要部側面図で、（ａ）は長尺物の巻き初めを示し、（ｂ）は巻回時の張力により巻き初め端部の段差が解消される状態を示す。
【図３】（ａ）はロール状物を示す側面図、（ｂ）は従来の長尺物の巻き初め端部の段差が長尺物に転写される状態を示す側面図である。
【符号の説明】
【００３４】
１  巻芯
２  長尺物（フィルム）
２ａ  長尺物の巻き初め端部
３  接着剤
４  段差が転写した屈曲線
５  凹部
６  軟質樹脂（軟質ポリウレタン）
【図１】
2005075521.tif 000003
【図２】
2005075521.tif 000004
【図３】
2005075521.tif 000005